(57)【特許請求の範囲】
【請求項１】
互いに反転する関係にある２つのコードが連続する第１ラインおよび第２ラインにそれぞれ多重された映像信号を１ラインずつ入力する入力手段、
前記入力手段によって入力された映像信号に欠落が発生したか否かを判別する第１判別手段、
出力映像信号を１ライン期間にわたって遅延させる遅延手段、
前記第１判別手段の判別結果が否定的であるとき前記入力手段よって入力された映像信号を前記出力映像信号として選択し、前記第１判別手段の判別結果が肯定的であるとき前記遅延手段によって遅延された映像信号を前記出力映像信号として選択する選択手段、
前記出力映像信号の前記第１ラインおよび前記第２ラインにそれぞれ多重されたコードを読み取る読み取り手段、
前記読み取り手段によって前記第２ラインから読み取られたコードを反転させる反転手段、
前記読み取り手段によって前記第１ラインから読み取られたコードと前記反転手段によって反転されたコードとが一致するか否かを判別する第２判別手段、および
前記第２判別手段の判別結果が肯定的であるとき前記読み取り手段によって読み取られたコードを有効化し、前記第２判別手段の判別結果が否定的であるとき前記読み取り手段によって読み取られたコードを無効化する有効化／無効化手段を備える、映像信号処理装置。
【請求項２】
前記第１ラインおよび前記第２ラインは前記映像信号の垂直帰線消去期間に存在する、請求項１記載の映像信号処理装置。
【請求項３】
前記入力手段によって入力される映像信号は磁気テープから再生された映像信号である、請求項１または２記載の映像信号処理装置。
【請求項４】
映像記録再生装置によって記録される映像信号にコードを多重するとともに、前記映像記録再生装置によって再生される映像信号に多重されたコードを読み取るコード多重／読取装置であって、
所定関係にある２つのコードを前記映像信号に多重する多重手段、
前記映像再生装置で再生された２つのコードが前記所定関係にあるかどうかを判別するコード判別手段、および
前記判別手段において前記２つのコードが前記所定関係にあると判断したとき所定のコードを出力するコード出力手段を備え、
前記２つのコードは非反転の第１コードと前記第１コードの一部または全部のビットを反転した第２コードとを含み、前記所定のコードは前記第１コードである、コード多重／読取装置。
【請求項５】
前記判別手段は、前記第１コードを記憶する記憶手段、前記第２コードの前記一部または前記全部のビットを反転する反転手段、および前記記憶手段の出力と前記反転手段の出力とを比較する比較手段を含む、請求項４記載のコード多重／読取装置。
【請求項６】
前記コード出力手段は前記記憶手段の出力を出力する、請求項５記載のコード多重／読取装置。
【請求項７】
コードが多重された映像信号を信号記録手段によって磁気テープに記録するとともに、前記コードが多重された映像信号を信号再生手段によって前記磁気テープから再生する映像記録再生装置であって、
所定関係にある２つのコードを前記映像信号に多重する多重手段、
前記映像再生装置で再生された２つのコードが前記所定関係にあるかどうかを判別するコード判別手段、および
前記判別手段において前記２つのコードが前記所定関係にあると判断したとき所定のコードを出力するコード出力手段を備え、
前記２つのコードは非反転の第１コードと前記第１コードの一部または全部のビットを反転した第２コードとを含み、前記所定のコードは前記第１コードである、映像記録再生装置。
【請求項８】
映像再生装置によって再生される映像信号に多重されたコードを読み取るコード読取装置であって、
前記映像再生装置で再生された２つのコードが所定関係にあるかどうか判別するコード判別手段、および
前記判別手段において前記２つのコードが前記所定関係にあると判断したとき所定のコードを出力するコード出力手段を備え、
前記２つのコードは非反転の第１コードと前記第１コードの一部または全部のビットを反転した第２コードとを含み、前記所定のコードは前記第１コードである、コード読取装置。
【請求項９】
コードが多重された映像信号を信号再生手段によって磁気テープから再生する映像再生装置であって、
前記映像信号に多重された２つのコードが所定関係にあるかどうかを判別するコード判別手段、および
前記判別手段において前記２つのコードが前記所定関係にあると判断したとき所定のコードを出力するコード出力手段を備え、
前記２つのコードは非反転の第１コードと前記第１コードの一部または全部のビットを反転した第２コードとを含み、前記所定のコードは前記第１コードである、映像再生装置。
【発明の詳細な説明】
【０００１】
【産業上の利用分野】
この発明はコード多重／読取装置に関し、特にたとえば、どの監視カメラから出力された映像信号であるかを識別したり映像信号が出力された時刻を表すコードを映像信号に多重するとともに、そのコードを映像信号から読み取る、コード多重／読取装置に関する。
【０００２】
【従来の技術】
従来のこの種のコード多重／読取装置の一例が、図８および図９に表される。図８を参照して、記録時にはレジスタ２ａ〜２ｇに格納されたコードが、コンポジット映像信号に含まれる垂直帰線消去期間の所定の２ラインのそれぞれに多重され、その後ＶＴＲ３によってビデオテープ（図示せず）に記録される。再生時は、図９に示すＶＴＲ３によって再生されたコンポジット映像信号がドロップアウト検出回路３ａを介して出力される。つまり、ビデオテープの傷などによって信号をうまく再生できないとき、そのドロップアウト部分に前ラインの対応する部分の信号が付加されて出力される。そして、コンパレータ４およびコード取込回路５によってコンポジット映像信号に多重された２つのコードが検出され、比較回路６によって両コードが比較される。両者が一致すれば、レジスタ７から始めに多重されたコードが出力される。
【０００３】
したがって、“１００１１０１”で表されるコードが多重されたコンポジット映像信号の再生時に、図１０（Ａ）に示すように始めに記録されたコードの一部が欠落した場合、図１０（Ｅ）および図１０（Ｆ）のように検出された２つのコードは互いに一致しないため、レジスタ７から誤ったコードつまり“１０００００１”のコードが出力されることはない。
【０００４】
【発明が解決しようとする課題】
しかし、このような従来技術では、図１１（Ａ）に示すように始めのコードの一部が欠落するとともに、次のコードの全部が欠落した場合、後半のドロップアウト期間には一部が欠落した最初のコードが付加されるため、図１１（Ｅ）および図１１（Ｆ）に示すように検出される２つのコードは互いに一致してしまい、レジスタ７からは誤ったコードが出力されていた。
【０００５】
それゆえに、この発明の主たる目的は、２つのコードのいずれもが一部ないし全部欠落したときでも誤ったコードの出力を防止することができる、コード多重／読取装置を提供することである。
この発明の他の目的は、２つのコードのいずれもが一部ないし全部欠落したときでも誤ったコードの出力を防止することができる、コード読取装置を提供することである。
【０００６】
この発明のその他の目的は、２つのコードのいずれもが一部ないし全部欠落したときでも誤ったコードの出力を防止することができる、映像再生装置を提供することである。
この発明のさらにその他の目的は、２つのコードのいずれもが一部ないし全部欠落したときでも誤ったコードの出力を防止することができる、映像記録再生装置を提供することである。
【０００７】
【課題を解決するための手段】
第１の発明に従う映像信号処理装置は、互いに反転する関係にある２つのコードが連続する第１ラインおよび第２ラインにそれぞれ多重された映像信号を１ラインずつ入力する入力手段、入力手段によって入力された映像信号に欠落が発生したか否かを判別する第１判別手段、出力映像信号を１ライン期間にわたって遅延させる遅延手段、第１判別手段の判別結果が否定的であるとき入力手段よって入力された映像信号を出力映像信号として選択し、第１判別手段の判別結果が肯定的であるとき遅延手段によって遅延された映像信号を出力映像信号として選択する選択手段、出力映像信号の第１ラインおよび第２ラインにそれぞれ多重されたコードを読み取る読み取り手段、読み取り手段によって第２ラインから読み取られたコードを反転させる反転手段、読み取り手段によって第１ラインから読み取られたコードと反転手段によって反転されたコードとが一致するか否かを判別する第２判別手段、および第２判別手段の判別結果が肯定的であるとき読み取り手段によって読み取られたコードを有効化し、第２判別手段の判別結果が否定的であるとき読み取り手段によって読み取られたコードを無効化する有効化／無効化手段を備える。
第２の発明に従うコード多重／読取装置は、映像記録再生装置によって記録される映像信号にコードを多重するとともに、映像記録再生装置によって再生される映像信号に多重されたコードを読み取るコード多重／読取装置であって、所定関係にある２つのコードを映像信号に多重する多重手段、映像再生装置で再生された２つのコードが所定関係にあるかどうかを判別するコード判別手段、および判別手段において２つのコードが所定関係にあると判断したとき所定のコードを出力するコード出力手段を備え、２つのコードは非反転の第１コードと第１コードの一部または全部のビットを反転した第２コードとを含み、所定のコードは前記第１コードである。
【０００８】
第３の発明に従う映像記録再生措置は、コードが多重された映像信号を信号記録手段によって磁気テープに記録するとともに、コードが多重された映像信号を信号再生手段によって磁気テープから再生する映像記録再生装置であって、所定関係にある２つのコードを映像信号に多重する多重手段、映像再生装置で再生された２つのコードが所定関係にあるかどうかを判別するコード判別手段、および判別手段において２つのコードが所定関係にあると判断したとき所定のコードを出力するコード出力手段を備え、２つのコードは非反転の第１コードと第１コードの一部または全部のビットを反転した第２コードとを含み、所定のコードは前記第１コードである。
【０００９】
第４の発明に従うコード読取装置は、映像再生装置によって再生される映像信号に多重されたコードを読み取るコード読取装置であって、映像再生装置で再生された２つのコードが所定関係にあるかどうか判別するコード判別手段、および判別手段において２つのコードが所定関係にあると判断したとき所定のコードを出力するコード出力手段を備え、２つのコードは非反転の第１コードと第１コードの一部または全部のビットを反転した第２コードとを含み、所定のコードは第１コードである。
【００１０】
第５の発明に従う映像再生装置は、コードが多重された映像信号を信号再生手段によって磁気テープから再生する映像再生装置であって、映像信号に多重された２つのコードが所定関係にあるかどうかを判別するコード判別手段、および判別手段において２つのコードが所定関係にあると判断したとき所定のコードを出力するコード出力手段を備え、２つのコードは非反転の第１コードと第１コードの一部または全部のビットを反転した第２コードとを含み、所定のコードは前記第１コードである。
【００１１】
【作用】
所定関係にある２つのコードが、多重手段によって映像信号のたとえば垂直帰線消去期間に多重される。ここで、２つのコードはたとえば非反転の第１のコードと第１コードの一部または全部のビットを反転した第２コードである。そして、この２つのコードが多重された映像信号が、たとえば信号記録手段によって磁気テープに記録される。コードが多重された映像信号は、たとえば信号再生手段によって磁気テープから再生され、これに含まれる２つのコードが所定関係にあるかどうかが、コード判別手段によって判別される。すなわち、第１コードがたとえば記憶手段に記憶され、第２コードの一部または全部のビットが反転手段によって反転され、そして記憶手段の出力と反転手段の出力とが比較手段によって比較される。そして、この２つのコードが所定関係にあると判断したとき、すなわち両コードがたとえば互いに一致すると判断したとき、コード出力手段が所定のコードを出力する。ここで、所定のコードとはたとえば第１コードである。
【００１２】
【発明の効果】
これらの発明によれば、再生された２つのコードが所定関係にあるときだけコード出力手段によって所定のコードを出力するようにしたため、２つのコードのいずれもが一部ないし全部欠落したときでも誤ったコードの出力を防止することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例のコード多重／読取装置１０は同期分離回路１２を含み、これによってコンポジット映像信号に含まれるかつ図２に示す垂直同期パルスおよび水平同期信号が分離される。パルス発生回路１４は垂直同期パルスを受け、これを基準に垂直帰線消去期間のうち等化期間および垂直同期期間を除く期間Ａの所定の１Ｈ期間に立ち上がるタイミングパルスを、切換信号としてスイッチＳＷ１〜ＳＷ７に与えるとともに、その所定の１Ｈ期間およびそれに続く１Ｈ期間に立ち上がるタイミングパルスを、読出信号切換信号およびイネーブル信号としてレジスタ２２ａ〜２２ｇ，スイッチＳＷ８およびカウンタ１８に与える。したがって、レジスタ２２ａ〜２２ｇ，スイッチＳＷ８およびカウンタ１８に与えられるタイミングパルスは図５（Ａ）に示す水平同期信号に対して図５（Ｂ）に示すように変化する。
【００１５】
一方、ＰＬＬ回路１６は同期分離回路１２から水平同期信号を受け、その水平同期信号に位相がロックしたかつ水平同期信号を７分周したパルスを、クロックとしてカウンタ１８に与える。カウンタ１８は、パルス発生回路１４からイネーブル信号が与えられる期間、ＰＬＬ回路１６からのクロックに従って“０”から“６”までのインクリメントを繰り返す。
【００１６】
レジスタ２２ａ〜２２ｇのそれぞれには７ビットのコード“１００１１０１”が１ビットずつ格納されており、図５（Ｂ）に示すタイミングパルスによってそのコードが２回読み出される。スイッチＳＷ１〜ＳＷ７は連続する２Ｈ期間のうち最初の１Ｈ期間レジスタ２２ａ〜２２ｇ側と接続され、その次の１Ｈ期間に反転回路２４ａ〜２４ｇ側と接続されるため、セレクタ２２は最初の１Ｈ期間にコード“１００１１０１”が第１コードとして与えられ、その次の１Ｈ期間にコード“０１１００１０”が第２コードとして与えられる。セレクタ２０は、カウンタ１８からのカウント値に従ってスイッチＳＷ１〜ＳＷ７のそれぞれから与えられるビットデータを１つずつ選択するため、セレクタ２０からはまず第１コード“１００１１０１”が１ビットずつ出力され、次に第２コード“０１１００１０”が１ビットずつ出力される。すなわち、セレクタ２０からは図５（Ｃ）に示すコードが出力される。スイッチＳＷ８は図５（Ｂ）に示すタイミングパルスがハイレベルのときセレクタ側と接続されるため、セレクタ２０から出力された２つのコードが、図５（Ｄ）に示すようにコンポジット映像信号に多重される。
【００１７】
このようにしてコードが多重されたコンポジット映像信号がＶＴＲ２６に与えられ、信号記録回路２６ａによってビデオテープ２８に記録される。
図３を参照して、再生時、ＶＴＲ２６は信号再生回路２６ｂによってビデオテープ２８から信号を再生しドロップアウト補償部２６ｃによってドロップアウト部分に信号を付加する。具体的には、図４に示すドロップアウト検出回路２６ｄによって再生信号のドロップアウト部分を検出し、ドロップアウト検出信号によってスイッチＳＷ９を制御する。これによって、ドロップアウトが生じていない期間はスイッチＳＷ９は復調回路２６ｅ側と接続されるが、ドロップアウトが検出される期間はスイッチＳＷ９は１Ｈ遅延回路２６ｆ側と接続される。したがって、ドロップアウト部分には前ラインの対応する部分の信号が付加される。たとえば、図６（Ａ）または図７（Ａ）に示すようにドロップアウト検出パルスが出力されると、スイッチＳＷ９からは図６（Ｂ）または図７（Ｂ）に示すコンポジット映像信号が出力される。
【００１８】
ＶＴＲ２６から出力されたコンポジット映像信号は５０ＩＲＥのレベルをもつ電圧信号と比較され、これによって図５（Ｅ），図６（Ｃ）および図７（Ｃ）に示すようにコンポジット映像信号に含まれる第１コードおよび第２コードが検出される。一方、同期分離回路３０ではコンポジット映像信号に含まれる垂直同期パルスが検出され、これを基準としてパルス発生回路３６が２種類のタイミングパルスとラッチ信号とをコード取込回路３４，レジスタ３８およびラッチ回路４４に与える。具体的には、コード取込回路３４に図５（Ｆ），図６（Ｄ）および図７（Ｄ）に示すように、第１コードおよび第２コードが重畳されたそれぞれの期間に立ち上がる合計１４個のパルスがイネーブル信号として与えられ、レジスタ３８には第１コードが重畳された期間に立ち上がる７個のパルスが書込信号として与えられ、そしてラッチ回路４４には、コード取込回路３４に対して１４個のパルスが出力された後に、比較回路４２の出力をラッチするラッチ信号が与えられる。
【００１９】
コード取込回路３４はパルス発生回路３６からのイネーブル信号に従ってコンパレータ３２からの第１コードおよび第２コードを７ビットのパラレルデータに変換し、レジスタ３８および反転回路４０に与える。レジスタ３８にはパルス発生回路３６からの書込信号によって第１コードのみが格納され、コード取込回路３４からの第２コードの出力に同期して、すなわち図５（Ｇ），図６（Ｅ）および図７（Ｅ）に示すタイミングで第１コードが出力される。一方、反転回路４０からは図５（Ｈ），図６（Ｆ）および図７（Ｆ）に示すタイミングで第１コードおよび第２コードの反転コードが出力される。したがって、比較器４２はレジスタからの第１コードと反転回路４０からの第２コードの反転コードとを比較し、両者が一致すればハイレベル信号を出力し、両者が一致しなければローレベル信号を出力する。
【００２０】
ラッチ回路４４では比較器４２からの出力がパルス発生回路３６からのラッチ信号によってラッチされ、ラッチ出力がイネーブル信号としてレジスタ４６に与えられる。したがって、レジスタ３８から出力された第１コードは、ラッチ回路４４出力がハイレベルのときだけレジスタ４６に格納され、同時にその第１コードが出力される。一方、ラッチ回路４４出力がローレベルであれば、レジスタ３８からの第１コードはレジスタ４６に格納されず、レジスタ３８からは、何も出力されないかあるいは既に格納されている第１コードが出力される。すなわち、図５（Ｇ）および図５（Ｈ）に示すように第１コードと第２コードの反転コードとが一致すれば、図５（Ｉ）のようにレジスタ４６から第１コードが出力される。しかし、図６（Ｅ）および図６（Ｆ）ならびに図７（Ｅ）および図７（Ｆ）に示すように第１コードと第２コードの反転コードとが一致しなければ、図６（Ｇ）および図７（Ｇ）に示すようにレジスタ４６からは何も出力されないか、あるいは既に格納されている第１コードが出力される。
【００２１】
このように、記録時はパルス発生回路１４がスイッチＳＷ８を制御することによって、コンポジット映像信号の垂直帰線消去期間に第１コードおよびそれを反転した第２コードが多重され、ＶＴＲ２６によってビデオテープ２８に記録される。一方、再生時はコード取込回路３４から第１コードおよび第２コードが出力され、比較器４２に第１コードと第２コードの反転コードとが互いに同期して与えられる。そして、両者が一致するときだけ比較器４２からハイレベル信号が出力され、これによってレジスタ３８から出力された第１コードがレジスタ４６を介して出力される。一方、第１コードおよび第２コードの反転コードとが不一致であれば、ラッチ４４からはローレベル信号が出力され、レジスタ４６からは何も出力されない。ただし、レジスタ４６に既に第１コードが格納されていれば、そのコードが出力される。つまり、ラッチ回路４４からは１フィールドに１回ラッチ信号が出力されるので、そのラッチ信号がハイレベルであれば、そのタイミングでレジスタ４６の内容すなわち出力コードが更新されるが、ラッチ信号がローレベルであれば、レジスタ４６からは既に格納されている第１コードが出力される。
【００２２】
この実施例によれば、第１コードと第２コードとが所定関係にあるときの第１コードを出力するようにしたため、誤ったコードが出力されるのを防止することができる。
なお、この実施例では第１コードの全てのビットを反転することによって第２コードを生成するようにしたが、第１コードの偶数ビットあるいは奇数ビットなどのように第１コードの一部のビットを反転することによって第２コードを生成してもよいことはもちろんである。また、この実施例ではＶＴＲ２６の外にコード多重／読取装置１０を接続するようにしたが、ＶＴＲ内にコード多重／読取装置を搭載するようにしてもよいことはもちろんである。
【００２３】
また、第１コードおよび第２コードは垂直帰線消去期間に含まれる期間Ａに連続して多重するようにしたが、カウンタ１８に与えられるクロックレートを２倍にすることによって、等化期間または垂直同期期間に２つのコードを多重するようにしてもよく、また２つのコードを互いに離して多重するようにしてもよい。さらに、この実施例では第１コードと第２コードの反転コードとが一致するとき第１コードを出力するようにしたが、第２コードの反転コードを出力するようにしてもよいことはもちろんである。すなわち、第１コードおよび第２コードが所定関係にあるとき、第２コードを第１コードに直してから出力してもよい。
【図面の簡単な説明】
【図１】この発明の一実施例の一部を示すブロック図である。
【図２】垂直帰線消去期間における信号を示す波形図である。
【図３】この発明の一実施例の他の一部を示すブロック図である。
【図４】図１実施例の一部を示すブロック図である。
【図５】（Ａ）は水平同期信号を示す波形図であり、（Ｂ）はタイミングパルスを示す波形図であり、（Ｃ）はコンポジット映像信号に多重されるコードを示す波形図であり、（Ｄ）はＶＴＲに記録されあるいはＶＴＲから再生されるコンポジット映像信号を示す波形図であり、（Ｅ）は再生されたコンポジット映像信号に含まれるコードを示す波形図であり、（Ｆ）はイネーブル信号を示す波形図であり、（Ｇ）はレジスタ３８から出力されるコードを示す図解図であり、（Ｈ）は反転回路で反転されたコードを示す図解図であり、（Ｉ）は出力コードを示す図解図である。
【図６】（Ａ）はドロップアウト検出パルスを示す波形図であり、（Ｂ）は再生されたコンポジット映像信号を示す波形図であり、（Ｃ）は再生されたコンポジット映像信号に含まれるコードを示す波形図であり、（Ｄ）はイネーブル信号を示す波形図であり、（Ｅ）はレジスタ３８から出力されるコードを示す図解図であり、（Ｆ）は反転回路で反転されたコードを示す図解図であり、（Ｇ）は出力コードを示す図解図である。
【図７】（Ａ）はドロップアウト検出パルスを示す波形図であり、（Ｂ）は再生されたコンポジット映像信号を示す波形図であり、（Ｃ）は再生されたコンポジット映像信号に含まれるコードを示す波形図であり、（Ｄ）はイネーブル信号を示す波形図であり、（Ｅ）はレジスタ３８から出力されるコードを示す図解図であり、（Ｆ）は反転回路で反転されたコードを示す図解図であり、（Ｇ）は出力コードを示す図解図である。
【図８】従来技術の一部を示すブロック図である。
【図９】従来技術の他の一部を示すブロック図である。
【図１０】（Ａ）はドロップアウト検出パルスを示す波形図であり、（Ｂ）は再生されたコンポジット映像信号を示す波形図であり、（Ｃ）は再生されたコンポジット映像信号に含まれるコードを示す波形図であり、（Ｄ）はイネーブル信号を示す波形図であり、（Ｅ）はレジスタ３８から出力されるコードを示す図解図であり、（Ｆ）は反転回路で反転されたコードを示す図解図であり、（Ｇ）は出力コードを示す図解図である。
【図１１】（Ａ）はドロップアウト検出パルスを示す波形図であり、（Ｂ）は再生されたコンポジット映像信号を示す波形図であり、（Ｃ）は再生されたコンポジット映像信号に含まれるコードを示す波形図であり、（Ｄ）はイネーブル信号を示す波形図であり、（Ｅ）はレジスタ３８から出力されるコードを示す図解図であり、（Ｆ）は反転回路で反転されたコードを示す図解図であり、（Ｇ）は出力コードを示す図解図である。
【符号の説明】
１０  …コード多重／読取装置
１４  …パルス発生回路
２０  …セレクタ
２２ａ〜２２ｇ，３８，４６  …レジスタ
２４ａ〜２４ｇ，４０  …反転回路
２６  …ＶＴＲ
３４  …コード取込回路
３６  …パルス発生回路
４２  …比較回路
【図１】
0003545137.tif 000002
【図２】
0003545137.tif 000003
【図３】
0003545137.tif 000004
【図４】
0003545137.tif 000005
【図５】
0003545137.tif 000006
【図６】
0003545137.tif 000007
【図７】
0003545137.tif 000008
【図８】
0003545137.tif 000009
【図９】
0003545137.tif 000010
【図１０】
0003545137.tif 000011
【図１１】
0003545137.tif 000012